(57)【要約】【課題】  生産性に優れ、強度が強くない樹脂であっても肉薄で成形でき、落下等の衝撃に強い構造であるロール支持部材及びこれを用いた記録材料包装体を提供すること。【解決手段】  巻芯に巻回されたロール状記録材料を収納容器中に宙づりにするために使用するロール支持部材であって、４つの角を落とした正方形の、厚みを有するフランジ部、及びフランジ部の略中央に巻芯の一端に係合する円筒状に突き出した嵌入部を有し、フランジ部及び嵌入部は一体に成形され、フランジ部の嵌入部が突き出した側に環帯状の平坦面を有し、環帯状の平坦面の外周はロール状記録材料の最外周にほぼ相当し、環帯状の平坦部とフランジ部外周側面との間に溝が設けられ、フランジ部の平坦面とは反対の反対面には複数のエネルギー吸収帯を形成するリブが設けられ、フランジ部の外周側面の高さが該リブの高さ以下であることを特徴とするロール支持部材及びこれを用いた記録材料包装体。【選択図】  図２
2005035646.tif 000002
【特許請求の範囲】
【請求項１】
巻芯に巻回されたロール状記録材料を収納容器中に宙づりにするために使用するロール支持部材であって、
４つの角を落とした正方形の、厚みを有するフランジ部、及びフランジ部の略中央に巻芯の一端に係合する円筒状に突き出した嵌入部を有し、
フランジ部及び嵌入部は一体に成形され、
フランジ部の嵌入部が突き出した側に環帯状の平坦面を有し、
環帯状の平坦面の外周はロール状記録材料の最外周にほぼ相当し、
環帯状の平坦面とフランジ部外周側面との間に溝が設けられ、
フランジ部の平坦面とは反対の反対面には複数のエネルギー吸収帯を形成するリブが設けられ、
フランジ部の外周側面の高さが該リブの高さ以下であることを特徴とするロール支持部材。
【請求項２】
巻芯に巻回されたロール状記録材料を収納容器中に宙づりにするために使用するロール支持部材であって、
４つの角を落とした正方形の、厚みを有するフランジ部、及びフランジ部の略中央に巻芯の一端に係合する円筒状に突き出した嵌入部を有し、
フランジ部及び嵌入部は一体に成形され、
フランジ部の嵌入部が突き出した側に部分的に平坦面を有し、
フランジ部の平坦面とは反対の反対面には複数のエネルギー吸収帯を形成するリブが設けられ、
フランジ部の外周側面に接続するリブにスリットが設けられ、
フランジ部の外周側面の高さが該リブの高さ以下であることを特徴とするロール支持部材。
【請求項３】
フランジ部の外周側面に接続するリブにスリットが設けられたエネルギー吸収帯を有する請求項１記載のロール支持部材。
【請求項４】
請求項１〜３いずれか１つに記載のロール支持部材によって、ロール状記録材料を直方体の収納容器中に宙づりに支持し収納した記録材料包装体。
【請求項５】
両端面にフランジを有しないロール状記録材料を収納した請求項４記載の記録材料包装体。
【発明の詳細な説明】
【技術分野】
【０００１】
本発明は、ロール状記録材料を収納箱中に宙づりに包装するためのロール支持部材に関し、さらに、このロール支持部材を用いた記録材料包装体に関する。
【背景技術】
【０００２】
一般に、ロール状記録材料は、ロール支持部材に支持されて宙吊り状態で収納容器に収納された包装体として保管、輸送される。感光性の記録材料の場合には、この記録材料を遮光性のフランジ及び遮光性のリーダーにより覆うことにより完全に遮光した後に収納容器に収納される。感光性、又は非感光性を問わず、ロール状記録材料を収納箱中で緩衝材により宙づりに固定するためのロール支持部材としては、円筒状軸及びフランジ部の２つの部材から構成されたものが用いられている。この場合、円筒状軸をフランジ部の穴部を通して更にロール状記録材料を卷回した巻芯両端に挿入することによって、ロール状記録材料を収納箱中に宙づりに支持している。
しかし、上記の円筒状軸の端にフランジ部を有する構造では、収納容器が落下した時などに受ける衝撃に弱いという問題がある。そのため、ロール支持部材の材料にはポリエチレンなどの変形に強い熱可塑性樹脂を比較的太くした成形品が用いられてきた。しかし、肉厚の成形品には、材料使用量が多い、成形時の冷却時間が長いなどの欠点がある。また、円筒状軸及びフランジ部の２つの部材から構成されるロール支持部材は、製造コストも高い。
【０００３】
ロール状記録材料を支持する円筒軸及びフランジ部が一体成形されたロール支持部材が開示されている（特許文献１及び２参照）。しかしながら、落下衝撃に対する強度が不十分であり更に改善が望まれている。
また、円筒軸及びフランジ部が一体成形されたロール支持部材を用いても、感光性の記録材料の場合には、記録材料ロールの端面に遮光性フランジを使用することが多いが、記録材料ロールの端面に遮光フランジを使用しなくてもロール外周にへこみを生じないロール支持部材が望まれている。
【０００４】
【特許文献１】特開平１１−３２７０８９号公報
【特許文献２】特開平７−３３００３２号公報
【発明の開示】
【発明が解決しようとする課題】
【０００５】
本発明が解決しようとする課題は、生産性に優れ、強度が強くない樹脂であっても肉薄で成形することが可能であり、落下等の衝撃に強い構造であるロール支持部材を提供することである。また、任意的な追加の課題は、生産機械で自動読み取りを行い、多品種生産において品種判別等の自動化を可能とするロール支持部材を提供することである。さらに、このようなロール支持部材を用いることにより、ロール状記録材料が落下衝撃に対しても変形を受けにくい記録材料包装体を提供することである。
【課題を解決するための手段】
【０００６】
本発明の上記課題は、以下の（１）〜（９）により解決された。
（１）巻芯に巻回されたロール状記録材料を収納容器中に宙づりにするために使用するロール支持部材であって、４つの角を落とした正方形の、厚みを有するフランジ部、及びフランジ部の略中央に巻芯の一端に係合する円筒状に突き出した嵌入部を有し、フランジ部及び嵌入部は一体に成形され、フランジ部の嵌入部が突き出した側に環帯状の平坦面を有し、環帯状の平坦面の外周はロール状記録材料の最外周にほぼ相当し、環帯状の平坦部とフランジ部外周側面との間に溝が設けられ、フランジ部の平坦面とは反対の反対面には複数のエネルギー吸収帯を形成するリブが設けられ、フランジ部の外周側面の高さが該リブの高さ以下であることを特徴とするロール支持部材。
（２）  巻芯に巻回されたロール状記録材料を収納容器中に宙づりにするために使用するロール支持部材であって、４つの角を落とした正方形の、厚みを有するフランジ部、及びフランジ部の略中央に巻芯の一端に係合する円筒状に突き出した嵌入部を有し、フランジ部及び嵌入部は一体に成形され、フランジ部の嵌入部が突き出した側に部分的に平坦面を有し、フランジ部の平坦面とは反対の反対面は複数のエネルギー吸収帯を形成するリブが設けられ、フランジ部の外周側面に接続する半径方向リブにスリットが設けられ、フランジ部の外周側面の高さが該リブの高さ以下であることを特徴とするロール支持部材。
（３）フランジ部の外周側面に接続する半径方向リブにスリットが設けられたエネルギー吸収帯を有する（１）に記載のロール支持部材。
（４）嵌入部の外周面とフランジ部のフランジ板とが、凹状の湾曲面を有する窪みにより接続されている、（１）〜（３）いずれか１つに記載のロール支持部材。
（５）（１）〜（４）いずれか１つに記載のロール支持部材によって、ロール状記録材料を直方体の収納容器中に宙づりに支持し収納した記録材料包装体。
（６）両端面にフランジを有しないロール状記録材料を収納した（５）記載の記録材料包装体。
（７）フランジ板が、嵌入部側から、順次、窪み、環帯状の平坦面、溝、周縁部からなる前記いずれか１つに記載のロール支持部材又は記録材料包装体。
（８）窪みには放射状にリブが複数設けられており、リブの高さは、平坦面の高さ以下に保たれている（７）記載のロール支持部材又は記録材料包装体。
（９）熱可塑性樹脂を一体に射出成形することにより製造された前記いずれか１つに記載のロール支持部材又は記録材料包装体。
【発明の効果】
【０００７】
本発明によれば、肉薄で、強度の弱い材料で作製した場合でも落下衝撃に強いロール支持部材を、安価に得ることができる。また、フランジ板に嵌設した穴等により品種判別等の自動化に対応したロール支持部材を得ることができる。
また、ロール状記録材料の端面に遮光性フランジを使用しない場合でも落下衝撃に強いロール支持部材又は記録材料包装体を得ることができる。
【発明を実施するための最良の形態】
【０００８】
以下に、図面を参照しながら本発明の実施の形態について説明するが、本発明はこれに限定されるものではない。
図１は、ロール状記録材料を外箱に収納する一実施態様を示す概略斜視図である。巻芯に巻回されたロール状記録材料をその巻芯に係合して宙づりに支持するロール支持部材１が記録材料ロールの両端に装着されている。ロール支持部材１は、巻芯に巻回されたロール状材料を落下等の衝撃から保護するためのエネルギー吸収支持部材として使用される。
図１において、ロール状記録材料１１は、感光材料であっても非感光性材料であっても良く、感光材料の場合必要に応じて遮光材料等により包装されていても良い。この記録材料１１を巻回する巻芯１２は少なくとも両端が中空の円筒であり、好ましくは全幅にわたり中空の巻芯である。ロール状支持部材１は、ロール状記録材料巻芯に係合する嵌入部、及び記録材料ロールの端面を保護するフランジ部よりなる。ロール状支持部材１は、好ましくは熱可塑性樹脂の射出成形により一体に作製される。外箱１４はロール状記録材料１１を収納する収納容器である。ロール状記録材料１１はロール支持部材１によって宙づりに支持された状態で、直方体の外箱１４に収納し封止され、保管及び運搬に供せられる。ロール支持部材１は直方体の外箱１４の両側面にピッタリと納まる大きさを有している。直方体は、ロール支持部材１を記録材料ロール１１の両側に係合させた状態で隙間なく収納できる幅を有している。
【０００９】
本発明において使用できるロール状記録材料は、広幅長尺の記録材料を巻芯にロール状に巻取った形状の記録材料である。広幅長尺の記録材料は、その幅及び長さは特に制限されないが、一般的には幅が１００〜１，５００ｍｍで長さが１０〜２００ｍにわたることができ、幅が１５２ｍｍ、６１０ｍｍ、８６４ｍｍ、１２１３ｍｍ等で長さが約３０〜１３０ｍである記録材料が例示できる。勿論、これ以上の幅と長さであってもかまわない。本発明におけるロール状記録材料の種類は特に限定されるものではなく、プリント、印刷、複写等に使用される、感光材料、カラーコピー用受像紙等全ての画像記録材料が含まれる。感光材料としては感光性ハロゲン化銀を使用する銀塩感光材料（熱現像感光材料を含む）に限らず、ハロゲン化銀以外の感光素子を有する各種感光材料フィルムやポリオレフィン樹脂で被覆した紙支持体を有する印画紙等が全て含まれる。
【００１０】
図２は、本発明のロール支持部材１の一実施態様を第１の面（平坦面）側から見た概略斜視図である。
ロール支持部材は、第１の面（平坦面）３２、及び第１の面とは反対側に位置する第２の面（反対面）３９を有し、後掲の図３は反対面から見たロール支持部材１の斜視図である。
図２に示すように、ロール支持部材１は、嵌入部２０と、これに接続するフランジ部３０からなり、一体に成形されている。巻芯１２の一端に係合する嵌入部２０は、フランジ部３０の略中央に設けられている。嵌入部２０は、開放されていても良いが、嵌入部の中間で閉じられている方が好ましい。
【００１１】
フランジ部３０は４つの角を落とした正方形の形状を有するフランジ板と外周側面３７を有している。例示したフランジ板を平坦面側から見ると、嵌入部側から、順次、窪み３１、環帯状の平坦面３２、溝３４及び周縁部３６より構成されている。周縁部の外側は外周側面３７を構成し、外周側面３７は全周にわたりほぼ一定の高さを有する。
【００１２】
嵌入部２０とフランジ部３０とは、嵌入部２０の周囲に環状に設けられ、断面が凹状の湾曲面である窪み３１を有するフランジ板により接続されており、窪み３１の外側は環帯状の平坦面３２となっている。
窪み３１の断面は適宜曲率を有する半円形であることが好ましく、窪みの断面の曲率半径ｒは１〜１０ｍｍであることが好ましい。記録材料包装体が落下した際の衝撃により、ロール支持部材１においてフランジ部３０と嵌入部２０の接続部分での破損を防ぐため、この窪み３１が設けられている。なお、窪み３１とフランジ部３０の平坦面３２の境界は角がなく丸みを帯びていることが好ましい。前記の窪み３１の内部には半径方向の放射状に放射状リブ４０を設けることが好ましく、このリブの高さは、平坦面３２の高さ以下に保たれている。窪み内の放射状リブ４０は窪み３１と一体に形成される。放射状リブの数は４〜１６であり、８又は１２が好ましい。
【００１３】
環帯状の平坦面３２は、半径の異なる２つの同心円により挟まれた領域にある平坦面であり、ロール支持部材１が記録材料ロールの巻芯に係合された状態において、記録材料の端面を保護し、望遠鏡のように軸方向にずれを生じるのを防止する。環帯状の平坦面３２の外径は記録材料ロールの外径に一致するようにすることが好ましい。
【００１４】
環帯状の平坦面３２と周縁部３６との間にはほぼ一定の深さを有する溝３４が設けられている。溝３４の形状はその内側３３は上記環帯状平坦面３２の外周に沿っており、その外側３５はフランジ板の周縁部３６に沿っている。溝の外側に配設された周縁部３６は、平坦面３２とほぼ同じ高さを有している。
溝領域を設けることによりこの領域の裏側（第２の面）に配置される最外エネルギー吸収帯内に配設される半径方向に延設される放射状のリブの高さを全体として低くする方向に有効に働き、この最外エネルギー吸収帯を柔軟性に富み、外部からの衝撃をほとんど吸収することができるように機能させる。
溝の断面形状については、溝の内側３３と溝の底面との交角、及び、溝の外側３５と溝の底面との交角は、９０°〜１３５°であることが好ましい。
溝３４が平坦面３２又は周縁部３６に向かう斜面の両角は丸みを帯びていることが好ましい。
【００１５】
ロール支持部材１のフランジ部３０の外周形状は、ロール支持部材１が嵌入されたロール状記録材料１１を収納する外箱１４を最小限の大きさにすることから、正方形を基本とする形状であることが好ましく、本発明における好ましい一実施態様は、４つの角を落とした正方形である。４つの角を落とした正方形であれば、いずれの形状であっても良いが、具体的には、略八角形の形状、正八角形の形状、図２に示されるような八角形の形状の隣り合わない４辺を八角形の中心部に向って凹状に湾曲させた形状等を挙げることができる。いずれの形状においても、フランジ板の外周においては角が丸みを帯びていることが好ましく、八角形の場合にも隣り合う２辺により構成される角が丸みを帯びていることが好ましい。
４つの角を落とした正方形のフランジ部３０の大きさ、特に環帯状の平坦部３２は、巻芯１２に巻く記録材料の長さに合わせ適宜変更することが可能である。
【００１６】
図２に示すロール支持部材１は、一実施態様として先端が開放され、内部にフランジ部３０と平行に設けられた壁２３を有する円筒状の嵌入部２０を有する。嵌入部２０の先端には切り欠き２４が必要な数だけ設けられていることが好ましい。この切り欠き２４を設けることにより、ロール支持部材を積層したときのスタック性が改善できる。後掲の図４において更に説明する。
ロール状記録材料１１を巻回した巻芯１２の両端中空部にロール支持部材の嵌入部２０を係合し、嵌入部の外周面２１と巻芯１２の内周面とを密着させることにより、輸送時の振動、落下に伴う、包装体の外部からの押圧、巻芯の変形等を防止することができる。
フランジ部３０は全域にわたりエネルギー吸収帯を構成する同心円状リブ及びこれらと交差する半径方向の放射状リブのために厚みを有する。以下に詳しく説明する。
【００１７】
図３は、本発明のロール支持部材１の一実施態様を、第２の面（平坦面とは反対の反対面）３９から見た概略斜視図であり、エネルギー吸収帯の概要を示す。例示されているエネルギー吸収帯は、第１のエネルギー吸収帯６０、第２のエネルギー吸収帯６１、及び最外のエネルギー吸収帯６２より構成されている。すなわち、ほぼ同心円状にフランジ板に配設された第１円形リブ５１、第２円形リブ５２、第３円形リブ５４、及び外周側面３７の隣り合う２つのリブに挟まれた領域が、順次、第１、第２及び最外のエネルギー吸収帯を構成する。第１円形リブ５１及び第２円形リブ５２により挟まれた領域は第１エネルギー吸収帯を構成し、第２円形リブ及び第３円形リブにより挟まれた領域は第２エネルギー吸収帯を構成し、第３円形リブ及び外周側面により挟まれた領域は最外エネルギー吸収帯を構成する。
それぞれのエネルギー吸収帯には円形リブと交差する半径方向の放射状リブがフランジ板に配設されている。図示した例では、第１、第２及び最外のエネルギー吸収帯の放射状リブの数は８、１６、及び１６となっている。これらの放射状のリブは、２つの円形リブと一緒に隣り合う小空間群を形成する。
【００１８】
各エネルギー吸収帯の小空間は、可撓性の熱可塑性樹脂により形成されているので、ロール支持部材に外力が加わるとその外力のために弾性的に変形し、エネルギーを吸収し、減衰させる。その変形のし易さは小空間の弾性率に関係する。小空間を構成する底面のフランジ板が厚いほど変形しにくくなり、フランジ板から立ち上がるリブの厚さが厚いほど、またその高さが高いほど変形しにくくなる。リブにスリットが設けられると変形しやすくなり、また逆に放射状のリブの数を大きくして小空間を小さくすると変形しにくくなる。落下衝撃等の外力がかかると、巻芯に係合する嵌入部は、その強い剛性を有する構造のために変形が抑制され、この嵌入部から遠く離れるほど、曲げの応力は大きくなる傾向がある。本発明のロール支持部材１は、複数の略同心円状のエネルギー吸収帯は、比較的高い剛性を有する一方、最外のエネルギー吸収帯を柔軟にすることにより、外部衝撃をほとんどこの最外のエネルギー吸収帯の弾性変形、塑性変形又は部分的破壊により吸収し、減衰させることを特徴とする。
【００１９】
図４は、図３のＡ−Ａ’に沿った断面の概略斜視図である。
図４において、外周側面３７は、平坦面３２から溝３４及び周縁部３６に延設するフランジ板３８の周辺部を、嵌入部２０が形成されている方向とは反対側にほぼ一定の高さで折り曲げて形成した部分を構成する。外周側面３７とフランジ板３８の交差する角は丸みを帯びていることが好ましい。
【００２０】
図４において、第１円形リブ５１は、嵌入部２０をフランジ板３８の反対面３９側にほぼ延設した位置にフランジ板３８と一体に設けられている。第１円形リブ５１の形状は長円であることが好ましく、フランジ部３０の中心に対して偏心していることが好ましい。また、ロール支持部材１を積み重ねることができるように、嵌入部２０の外周面２１と第１円形リブ５１の内周面５１ａとは緩やかに係合可能な関係を有していることが好ましい。
ここで、長円とは半円を途中直線で接続した陸上競技場型の形状又は円の直交する軸の片方を伸ばした形状の両方が含まれる。長軸は短軸に比べて２〜１０％長いことが好ましく、２〜５％長いことがより好ましい。
【００２１】
図４において、第１円形リブ５１の内部には、壁２３に配設され嵌入部と同心円状の円筒リブ５６、及びこの円筒リブ５６と第１円形リブ５１とを半径方向に接続する４つの放射状リブ５７が設けられている。これらの円筒リブ５６及び放射状リブ５７は高さが大きく、これらの内部構造のために嵌入部２０全体はきわめて高い剛性を有してフランジ部３０と接続されている。この剛性の高い構造のために、記録材料包装体が落下して衝撃がロール支持部材に加わっても、嵌入部２０の破損は完全に防止することができる。
【００２２】
図４において、４本の放射状リブ５３は円筒リブ５６から外周側面３７まで至り、途中第１、第２及び第３の円形リブと交差するように配設されている。第１エネルギー吸収帯には、この間に配設された放射状リブを加えて合計８本の放射状リブが配設され、更に第２エネルギー吸収帯及び最外エネルギー吸収帯には、この間に配設された放射状リブを加えて合計１６本の放射状リブが配設されている。
放射状リブ５３はフランジ部を構成するフランジ板３８、第１円形リブ５１、第２円形リブ５２、第３円形リブ５４及び外周側面３７と一体的に設けられている。
さらに、第２円形リブ５２と外周側面３７を連結するように、円筒リブ５６を中心に半径方向の放射線状に放射状リブ５５を配設してもよい。放射状リブ５５はフランジ部を構成するフランジ板３８、第２円形リブ５２、第３円形リブ５４及び外周側面３７と一体的に設けられている。
【００２３】
本発明においては、フランジ部の外周側面に接続する放射状リブにスリットを設けることが好ましい。図４において、スリット５８はフランジ部３０の外周側面３７と第３円形リブ５４を接続する放射状リブ５３及び放射状リブ５５に設けられたスリットである。放射状リブ５３及び５５に設けられたスリット５８の角は丸みを帯びていることが好ましい。
本発明においては、さらに上記以外の円形または放射状のリブを設けても良い。
【００２４】
フランジ部３０の外周側面３７の高さは、エネルギー吸収帯を形成するリブの高さ以下であり、外周側面の高さはこれらのリブよりも低くなっていても良い。外周側面の高さが中側に設けたエネルギー吸収帯の最長のリブとほぼ等しい高さであることが好ましい。
【００２５】
図４において、嵌入部２０の先端の切り欠き２４はリブ５７に対応した位置に設けてあり、ロール支持部材１を重ね合わせて保管する際に、重ね合わせの位置決めが容易となり、スタック性の向上に効果的である。後掲の図６に、本発明の一実施態様としてのロール支持部材を重ね合わせた際の概略斜視図を示す。
【００２６】
図２〜４に示す実施態様とは異なり、嵌入部２０の先端は閉じられていてもよい。嵌入部の先端を閉じる場合、巻芯の中空部への嵌入を容易にするため及び破損を防止するため、嵌入部の先端平坦部の周縁部において角を落とした形状が好ましい。角を落とした周縁部の長さは１〜６ｍｍが好ましい。１ｍｍ未満では巻芯の中空部へ嵌入し難く、６ｍｍを超えた場合は、巻芯の内周部に密着する円筒部が短くなり、密着が不安定となり好ましくない。嵌入部の先端平坦部と先端平坦部の周縁部から構成される角、及び先端平坦部の周縁部と嵌入部の外周面から構成される角は丸みを帯びていることが好ましい。
【００２７】
嵌入部の先端を閉じる場合、円筒リブ５６及びリブ５７の高さは、第１円形リブ５１の高さと同一であっても良いが、嵌入部２０を嵌合させ、ロール支持部材１を重ね合わせて保存するときに重なり量を増やすため第１円形リブ５１の高さより低くても良い。
また、嵌入部の先端を開放する時と同様に、嵌入部の先端を閉じる場合においても、嵌入部の先端の外周に切り欠き２４を設けることができる。切り欠きはリブ５７と係合させることができる個所に設けることが好ましい。
【００２８】
図５は、図３のＡ−Ａ’に沿った概略断面図である。
図５に示すように、フランジ部３０は同心円状の複数のエネルギー吸収帯及び最外エネルギー吸収帯を有する。第１円形リブ５１、第２円形リブ５２及びフランジ板３８から構成される第１のエネルギー吸収帯６０、第２円形リブ５２、第３円形リブ５４及びフランジ板３８から構成される第２のエネルギー吸収帯６１、並びに、外周側面３７、第３円形リブ５４及びフランジ板３８から構成される最外エネルギー吸収帯６２を有する。
また、本発明の他の実施態様においては、第１のエネルギー吸収帯、第２のエネルギー吸収帯及び最外エネルギー吸収帯以外に、略同心円状に第３、第４等の追加のエネルギー吸収帯を有していても良い。
【００２９】
この第１のエネルギー吸収帯６０は嵌入部２０の基礎可撓性を制御する。エネルギー吸収帯６０のサイズは、第２円形リブ５２の位置によってコントロールされ、その可撓性を決定することとなる。もし、第２円形リブ５２の径が大きすぎると、第１のエネルギー吸収帯６０が大きすぎて柔軟になり過ぎ、嵌入部２０が荷重によって過剰に曲げられ、側方または底面からの衝撃を受けたときに、ロール状記録材料１１が外箱１４の側壁部と接触してしまう場合がある。ロール状記録材料１１が衝撃を受けて外箱１４の側面に接触すると、ロール状記録材料１１には直ちにその反衝撃力（反力）が生じ、この反力が、巻芯１２に永久的な変形を与える原因となることもある。本発明において、フランジ板３８の可撓性に影響を及ぼすその他の要因としては、このフランジ板３８の断面厚み、および、フランジ板３８を構成する材料の動的弾性率等がある。
【００３０】
第２のエネルギー吸収帯６１および最外エネルギー吸収帯６２は、複数の放射状リブによって仕切られている。複数の放射状リブは外周側面３７からのエネルギーを吸収する機能を持つ。これら複数の放射状リブは、過剰な衝撃を受けたときに曲がることによりエネルギーを消滅（吸収）するよう設計されている。これら複数の放射状リブの剛性が高すぎれば、外箱１４からの歪みエネルギーが全て第１のエネルギー吸収帯６０に伝達されてしまうことになる。逆に、これら複数の放射状リブの剛性が低すぎれば、これら複数の放射状リブは、極めて軽い衝撃荷重によっても外周側面３７を内側に引き込むように曲がってしまう。また、フランジ板３８が割れてしまう恐れもある。
【００３１】
図５において、嵌入部２０の外径Ｖは、嵌入部２０とフランジ部３０が交わる部分に窪み３１を設けている部分を除き、嵌入部全体にわたり同じである。外径Ｖは包装体を作製するときに使用する巻芯１２の内径により異なるが、巻芯１２の内径より０．１〜３ｍｍの範囲で小さいことが望ましい。０．１ｍｍ未満の場合は巻芯の中空部に嵌入部２０を嵌入し難くなる。
【００３２】
図５において、第１円形リブ５１の内径Ｕは、嵌入部２０の外径Ｖより０．１〜１．０％大きいことが好ましく、より好ましくは０．２〜０．５％である。０．１％未満では嵌入部２０が遊合状態で重ね合わせることが困難となり、嵌入部の外周面２１に傷が付きやすくなり、１．０％を越えた場合は、重ね合わせ箱に収納し返却する時に、輸送時の振動、取り扱い等で、円筒状凸部の外周面と空洞部の内面がぶつかり、円筒状凸部の外周面に傷が付きやすくなり、再利用がしにくくなり好ましくない。
【００３３】
図５に示す正方形の向かい合う２辺の距離Ｗは、好ましくは１２０〜１９０ｍｍである。
フランジ板の周縁部３６の幅Ｘは３〜１０ｍｍであることが好ましい。
【００３４】
本発明において、第２円形リブ５２の高さＨ１は５〜４０ｍｍが好ましく、より好ましくは８〜２５ｍｍである。５ｍｍ未満では強度的に弱くなり、４０ｍｍを越えた場合は、コストが上がり好ましくない。
【００３５】
本発明においては、外周側面３７の高さＨ２は第２円形リブ５２の高さＨ１以下の高さである。つまり、外周側面の高さＨ２は第２円形リブ５２の高さＨ１と同一か、又は外周側面の高さＨ２は第２円形リブ５２の高さＨ１より小さい。外周側面の高さＨ２はリブの高さＨ１の５０〜９５％であることが好ましく、６０〜９０％であることがより好ましい。外周側面３７よりリブが高い場合、フランジ部３０のリブ側面に斜め方向から落下した際、外周側面３７より先に外箱１４やリブが衝撃を受け、外箱１４やリブが変形することで衝撃を吸収することにより外周側面３７の破損を防ぐことができるため好ましい。
第１円形リブ５１及び第３円形リブ５４の高さは外周側面３７の高さＨ２以下であることが好ましい。第３円形リブ５４の高さＨ３は外周側面３７の高さＨ２の５０〜１００％であることが好ましく、７０〜１００％であることがより好ましい。
【００３６】
円筒状のリブと外周側面３７を連結するように、円筒リブ５６を中心に放射状に配設された放射状リブ５３及び５５の高さは、円筒状リブや外周側面３７の高さ以下である。
溝３４の深さＨ４は、フランジ部３０の外周側面の高さＨ２以下であり、好ましくは外周側面高さＨ２の５０〜８０％である。
フランジ部の外周側面に接続するリブに設けられたスリットの深さＨ５は、外周側面の高さＨ２の１０〜６０％であることが好ましい。
【００３７】
本発明において、フランジ部を構成するフランジ板３８、外周側面３７、及びリブの厚みは０．５〜３．０ｍｍであることが好ましい。また、嵌入部２０を構成する材料の厚みは０．５〜３．０ｍｍであることが好ましい。本発明の耐衝撃性に優れたロール支持部材は、上記の薄い材料で構成された場合でも破損し難い。
【００３８】
本発明のロール支持部材の好ましい実施態様をまとめると、第１円形リブ５１の内径は嵌入部２０の外周２１の嵌め合いにより決定することが好ましく、第３円形リブ５４の直径は外周側面が正方形の４辺に最近接する位置から半径（０．５Ｗ）の２〜１０％内側に位置することが好ましく、第２円形リブ５２は、第１円形リブ５１及び第３円形リブのほぼ中間にくるように配設することが好ましい。エネルギー吸収帯中の放射状リブの相対的な高さは、第２円形リブの高さを１００としたときに、第１円形リブの高さは７０〜１００、第３円形リブの高さは５０〜１００、外周側面の高さは５０〜１００であることが好ましい。
第１エネルギー吸収帯の半径方向の放射状リブの数は４〜８が好ましく、第２エネルギー吸収帯は第１エネルギー吸収帯の放射状リブの数の１〜４倍の放射状リブを設けることが好ましく、１〜２倍の放射状リブを設けることがより好ましく、フランジ部の外周側面により囲まれた最外のエネルギー吸収帯には、そのすぐ内側のエネルギー吸収帯に設けられた放射状リブ数の１〜４倍の数のリブが設けられていることが好ましく、１〜２倍の放射状リブが設けられていることがより好ましい。
【００３９】
以下に、図７及び８を参照しながら本発明の追加の実施の形態について説明する。
フランジ部３０の平坦面３２には、第１円形リブ５１との関係において、あらかじめ決められた位置に穴４１が開けられている。例えば、第１円形リブ５１から半径方向で所定の距離だけ離れた位置である。穴４１の数は特に制限がなく、必要に応じて１つであってよく、２つ以上であってもよい。例えば１つの穴の有り無しによって２種類の品種、２つの穴の有り無しによって４種類の品種に対応でき、品種情報を付加することができる。ロール支持部材の形状がわずかしか違わない品種違いの形状に対し、容易にロール支持部材の品種を判別することが可能である。
【００４０】
本発明のロール支持部材は、嵌入部２０の先端の切り欠き２４とリブ５７のかみ合わせによって、精度よく同心状に積み重ねることが可能である。フランジ部３０の穴４１は第１円形リブ５１の長円に対し、あらかじめ決められた関係に位置している。よって、積み重ねた一番上のフランジ部３０の側面から第１円形リブ５１の長円の長手方向を検知してフランジ部３０の穴４１を検出することが容易にできる。例えば、画像検査装置で長円の長手方向を検知した後に、フランジ部３０の穴４１の位置を検出することにより、自動で情報を読み取ることができる。また、第１円形リブ５１の長円にあった治具をあてがい、長手方向を検知した後にフランジ部３０の穴４１を検出することも可能である。
【００４１】
本発明のロール支持部材は、フランジ部が４つの角を落とした正方形であり、また、フランジ部の外周側面の高さがリブの高さと同一か、好ましくは小さくできている。したがって、記録材料包装体が外箱の角や稜で衝撃を受ける状態で落下する場合においても、ロール支持部材が外箱の角や稜を避けて配置されていることから、まず外箱やリブが衝撃を吸収するため、ロール支持部材が破損し難い構成となっている。また、本発明のロール支持部材は、フランジ部の嵌入部が突き出した側とは反対の第２の面に、衝撃を吸収するエネルギー吸収帯が設けられている。特に、最外のエネルギー吸収帯のリブの高さの調節により、強度の弱い材料であっても落下衝撃を吸収することができる。
さらに、本発明のロール支持部材は、フランジ部と嵌入部が一体成形されているため、成形性に優れている。
加えて、フランジ部の一定の位置に、生産機械で自動読み取りを行うことができる穴を有することにより、多品種生産において品種判別等の自動化を可能とするロール支持部材を提供することが可能となる。
【００４２】
本発明のロール支持部材を使用した記録材料包装体においては、ロール状記録材料１１の端面１３にフランジを使用しなくても収納することができる。フランジを使用することも可能であり、この場合の遮光性フランジ、遮光性シート等の遮光防湿材料としては、写真性能に悪影響を与えず遮光防湿機能を有していれば特に限定は無く、例えば特開平６−９５３０２号、同８−１７９４７３号に記載されている遮光防湿材料を使用することができる。
【００４３】
本発明のロール支持部材の材料としては、特に制限されないが、ＰＥ、ＰＰ、ＰＳ等の熱可塑性樹脂、生分解性樹脂、紙又は木材等（０〜９５質量％、好ましくは０〜７５質量％、より好ましくは１〜５１質量％）と熱可塑性樹脂（ＰＥ、ＰＰ、ＰＳ；ポリ乳酸などの生分解性樹脂）との混合物を用いることができる。
【００４４】
熱可塑性樹脂としては、シャルピー衝撃強さが６．０ＫＪ／ｍ２以上、又は引長破壊呼び歪が２００％以上のものを用いることが好ましく使用できる。本発明のロール支持部材に使用できる熱可塑性樹脂としては、ポリプロピレン、高密度ポリエチレン、低密度ポリエチレン、直鎖状低密度ポリエチレンが挙げられる。これら熱可塑性樹脂の市販品の代表例を以下に示す。
【００４５】
（１）ポリプロピレン
日本ポリケム（株）製、ＢＣ８、ＢＣ４Ｌ、ＢＣ４ＬＡ
出光石油化学（株）製、Ｊ４６６ＨＰ、Ｊ７６２ＨＰ、Ｊ２０２１ＧＲ、Ｊ３０２１ＧＲ、
（２）高密度ポリエチレン
日本ポリケム（株）製、ＨＪ４９０、ＨＪ５８０、ＨＪ５６０、ＨＪ３６０
（３）低密度ポリエチレン
日本ポリケム（株）製、ＬＥ５２０Ｈ、ＬＦ６６０Ｈ、ＬＦ５４２Ｍ、ＬＣ５２２、ＬＣ５００、ＬＣ６２１、ＬＪ８００
（４）直鎖状低密度ポリエチレン
日本ポリケム（株）製、ＵＪ９６０、ＵＪ３７０、ＵＪ５８０、ＵＪ４８０、ＵＪ９９０、ＵＪ７９０
【００４６】
外箱に使用する紙材料は特に限定は無いが、取り扱い、作り易さ、強度から段ボールが好ましい。段ボールとしてはテックタイムス編、最新紙加工便覧（株式会社テックタイムス、１９８８年刊）に記載されている如き一般的なＡフルート〜Ｅフルートの両面段ボール、複両面段ボールが好ましく使用されるが特に限定は無い。ロール状記録材料の大きさに従い適宜選択することができる。
【実施例】
【００４７】
以下に実施例を挙げるが、本発明はこれに限定されるものではない。
＜実施例１〜３、比較例１＞
フランジ部の平坦面の溝及びリブのスリットの有無は表１に示したとおりに組み合わせて、それ以外は図２〜６に示したロール支持部材と同じ構造を有するロール支持部材を、紙を２０質量％含有するＰＰ樹脂（出光石油化学（株）製Ｊ−７６２ＨＰ）を用いて作製した。
ロール支持部材の溝の深さは６ｍｍ、フランジ部外周側面の高さはエネルギー吸収帯のリブの高さと同じく１４ｍｍとした。
作製したロール支持部材を用いて、図１に示すように、遮光フランジを使用しないで記録材料を包装した。記録材料には、印画紙を使用した。
この包装体を落下テストに供し、ロール支持部材の強度を確認した。
【００４８】
＜比較例２＞
円筒状軸の一端に円形のフランジを有するロール支持部材を、組み合わせて使用した。円筒状軸はＰＰを用いて作製した。
フランジ部として、外箱の側面に対応する大きさの正方形の段ボールを２枚重ね、中心に作製したロール支持部材の円筒状軸と同じ大きさの円形の穴をあけたものを用意した。
ロール支持部材の円筒状軸を、段ボール製のフランジ部、ロール状記録材料の巻芯の順に挿入し、これらを一体にして外箱に収納し、記録材料を包装した。記録材料には、実施例１と同じ記録材料を使用した。
この包装体を落下テストに供し、ロール支持部材の強度を確認した。
【００４９】
【表１】
2005035646.tif 000003
【００５０】
（落下テスト）
記録材料包装体を高さ２０、３０、４０、５０、７０、または１００ｃｍの場所から落下させた後、記録材料の破損状況を検査した。結果を表２に示す。
【００５１】
【表２】
2005035646.tif 000004
○：製品の損傷がない
△：製品の損傷が少ない
×：製品の損傷が大きい
【００５２】
実施例１〜３の記録材料包装体は、比較例１〜２の記録材料包装体よりも落下衝撃に強く、十分な強度が得られた。
【図面の簡単な説明】
【００５３】
【図１】本発明のロール支持部材を両端に装着したロール状記録材料を外箱に収納する一実施態様を示す概略斜視図である。
【図２】本発明のロール支持部材の一実施態様を第１の面（平坦面）側から見た概略斜視図である。
【図３】本発明のロール支持部材の一実施態様を第２の面（平坦面とは反対の反対面）側から見た概略斜視図である。
【図４】図３のＡ−Ａ’に沿った概略断面の斜視図である。
【図５】図３のＡ−Ａ’に沿った概略断面図である。
【図６】本発明の一実施態様としてのロール支持部材を重ね合わせた際の概略斜視図である。
【図７】本発明のロール支持部材の別の一実施態様を第２の面（反対面）側から見た概略斜視図である。
【図８】本発明のロール支持部材の別の一実施態様を第１の面（平坦面）側から見た概略斜視図である。
【符号の説明】
【００５４】
１                ロール支持部材
１１              ロール状記録材料
１２              巻芯
１３              端面
１４              外箱
２０              嵌入部
２１              嵌入部の外周面
２２              嵌入部の内部
２３              壁
２４              切り欠き
３０              フランジ部
３１              窪み
３２              第１の面（平坦面）
３３              溝の内側
３４              溝
３５              溝の外側
３６              周縁部
３７              外周側面
３８              フランジ板
３９              第２の面（反対面）
４０              放射状リブ
４１              穴
５１              第１円形リブ
５１ａ            内周面
５２              第２円形リブ
５４              第３円形リブ
５３、５５        放射状リブ
５６              円筒リブ
５７              放射状リブ
５８              スリット
６０              第１のエネルギー吸収帯
６１              第２のエネルギー吸収帯
６２              最外エネルギー吸収帯
Ｈ１              第２円形リブ５２の高さ
Ｈ２              外周側面３７の高さ
Ｈ３              第３円形リブ５４の高さ
Ｈ４              溝３４の深さ
Ｈ５              スリット５８の深さ
Ｕ                第１円形リブ５１の内径
Ｖ                嵌入部２０の外径
Ｗ                正方形のフランジの向かい合う２辺の距離
Ｘ                周縁部３６の幅
【図１】
2005035646.tif 000005
【図２】
2005035646.tif 000006
【図３】
2005035646.tif 000007
【図４】
2005035646.tif 000008
【図５】
2005035646.tif 000009
【図６】
2005035646.tif 000010
【図７】
2005035646.tif 000011
【図８】
2005035646.tif 000012